(57)【特許請求の範囲】
【請求項１】
電子機器に応答を要求する要求処理部、
前記電子機器の応答結果に応じて、前記電子機器の電源状態を判定する電源状態判定部、
前記電源状態判定部による判定結果を通知する電源状態通知部、
前記電子機器が備える主電源スイッチの位置を示す位置情報を情報担持体から取得する位置情報取得部、及び、
前記位置情報取得部によって取得された前記位置情報を通知する位置情報通知部
としてコンピューターを機能させるための機器情報取得プログラム。
【請求項２】
前記電源状態がオンの場合に、前記電子機器の動作モードを取得する動作モード取得部、及び
前記動作モード取得部が取得した前記動作モードを通知する動作モード通知部
として更にコンピューターを機能させる、請求項１に記載の機器情報取得プログラム。
【請求項３】
前記電子機器は、前記動作モードとして第１モードと第２モードとを有し、
前記動作モード通知部は、前記電源状態がオンの場合に、前記動作モードとして前記第１モード又は前記第２モードを通知する、請求項２に記載の機器情報取得プログラム。
【請求項４】
前記動作モードが前記第１モードである場合に、前記動作モードを前記第１モードから前記第２モードへ切り替える動作モード切替部
として更にコンピューターを機能させる、請求項３に記載の機器情報取得プログラム。
【請求項５】
情報担持体と携帯型端末と電子機器とを備える機器情報取得システムであって、
前記携帯型端末と前記電子機器とは相互に通信可能であり、
前記情報担持体は、前記電子機器が備える主電源スイッチの位置を示す位置情報を担持し、
前記携帯型端末は、
前記電子機器と通信する端末通信部と、
前記端末通信部を介して、前記電子機器に応答を要求する要求処理部と、
前記電子機器の応答に応じて、前記電子機器の電源状態を判定する電源状態判定部と、
前記電源状態判定部の判定結果を通知する電源状態通知部と、
前記情報担持体に担持されている前記位置情報を読み取る読取部と、
前記位置情報を通知する位置情報通知部と、
を備え、
前記電子機器は、
前記携帯型端末と通信する機器通信部と、
前記機器通信部を介して、前記要求処理部の前記要求に応答する応答処理部と
を備える、機器情報取得システム。
【請求項６】
前記電子機器は、動作モードとして第１モードと第２モードとを有し、
前記携帯型端末は、
前記電源状態がオンであると判定された場合に、前記端末通信部を介して前記動作モードを取得する動作モード取得部と、
前記動作モード取得部によって取得された前記動作モードを通知する動作モード通知部と
を更に備える、請求項５に記載の機器情報取得システム。
【請求項７】
前記携帯型端末は、前記動作モードが前記第１モードである場合に、前記動作モードを前記第１モードから前記第２モードへ切り替えるように前記電子機器に対して指令する動作モード切替部を更に備え、
前記電子機器は、前記動作モード切替部からの指令に応じて前記動作モードを前記第１モードから前記第２モードへ切り替える動作モード管理部を更に備える、請求項６に記載の機器情報取得システム。
【請求項８】
前記電子機器は、前記情報担持体を備える、請求項５〜請求項７のいずれか１項に記載の機器情報取得システム。
【請求項９】
前記読取部は、ＲＦリーダーライターであり、
前記情報担持体は、ＲＦタグである、請求項５〜請求項８のいずれか１項に記載の機器情報取得システム。
【請求項１０】
電子機器に応答を要求するステップと、
前記電子機器の応答結果に応じて、前記電子機器の電源状態を判定するステップと、
前記電源状態の判定結果を通知するステップと、
前記電子機器が備える主電源スイッチの位置を示す位置情報を情報担持体から取得するステップと、
前記位置情報を通知するステップと
を含む、機器情報取得方法。
【発明の詳細な説明】
【技術分野】
【０００１】
本発明は、機器情報取得プログラム、機器情報取得システム、及び機器情報取得方法に関する。
【背景技術】
【０００２】
近年、ユーザーの節電に対する意識が向上しており、複合機などの画像形成装置は、しばしば主電源がオフにされる。この場合、ユーザーは、画像形成装置において所望の操作を行う際に、画像形成装置の主電源スイッチをオンにする必要がある。
【０００３】
しかし、画像形成装置に設けられる主電源スイッチの位置は機種に応じて異なる。このため、ユーザーは主電源スイッチを探す必要がある。また、主電源スイッチが背面に設けられた画像形成装置が壁際に設置されて、主電源スイッチが壁に面した場合、ユーザーが主電源スイッチを容易に探し出すことができないおそれがある。
【０００４】
ところで、画像形成装置の操作方法がわからないユーザーのためにヘルプデスクが設けられることがある。ヘルプデスクでは、スタッフが電話を介してユーザーに操作の説明を行う。しかし、電話を介した言葉による説明では、ユーザーに操作方法が正確に伝わらないという問題がある。この問題を解決することを目的とする発明が特許文献１に開示されている。
【０００５】
特許文献１には、ヘルプデスクのスタッフが画像形成装置を遠隔操作してハードキーを点灯させる発明が開示されている。これにより、ユーザーは、操作すべきボタンを知ることができる。
【先行技術文献】
【特許文献】
【０００６】
【特許文献１】特開２０１２―２３４９１号公報
【発明の概要】
【発明が解決しようとする課題】
【０００７】
しかし、特許文献１に記載の発明では、画像形成装置の電源状態がオフの場合に、スタッフが画像形成装置を遠隔操作することができない。このため、スタッフは、電話を介した言葉のみによる説明でユーザーに主電源スイッチの位置を伝えなければならず、主電源スイッチの位置を正確に伝えることが難しかった。そこで、画像形成装置の主電源スイッチの位置をより分かりやすくユーザーに通知するための技術の開発が望まれている。
【０００８】
本発明は、上記課題に鑑み、画像形成装置の主電源スイッチの位置をユーザーに通知することができる機器情報取得プログラム、機器情報取得システム、及び機器情報取得方法を提供することを目的とする。
【課題を解決するための手段】
【０００９】
本発明に係る機器情報プログラムは、要求処理部、電源状態判定部、電源状態通知部、位置情報取得部、及び位置情報通知部としてコンピューターを機能させる。前記要求処理部は、電子機器に応答を要求する。前記電源状態判定部は、前記電子機器の応答結果に応じて、前記電子機器の電源状態を判定する。前記電源状態通知部は、前記電源状態判定部による判定結果を通知する。前記位置情報取得部は、前記電子機器が備える主電源スイッチの位置を示す位置情報を情報担持体から取得する。前記位置情報通知部は、前記位置情報取得部によって取得された前記位置情報を通知する。
【００１０】
本発明に係る機器情報取得システムは、情報担持体と、携帯型端末と、電子機器とを備える。前記携帯型端末と前記電子機器とは相互に通信可能である。前記情報担持体は、前記電子機器が備える主電源スイッチの位置を示す位置情報を担持する。前記携帯型端末は、端末通信部と、要求処理部と、電源状態判定部と、電源状態通知部と、読取部と、位置情報通知部とを備える。前記端末通信部は、前記電子機器と通信する。前記要求処理部は、前記端末通信部を介して、前記電子機器に応答を要求する。前記電源状態判定部は、前記電子機器の応答に応じて、前記電子機器の電源状態を判定する。前記電源状態通知部は、前記電源状態判定部の判定結果を通知する。前記読取部は、前記情報担持体に担持されている前記位置情報を読み取る。前記位置情報通知部は、前記位置情報を通知する。前記電子機器は、機器通信部と、応答処理部とを備える。前記機器通信部は、前記携帯型端末と通信する。前記応答処理部は、前記機器通信部を介して、前記要求処理部の前記要求に応答する。
【００１１】
本発明に係る機器情報取得方法は、以下のステップを含む。電子機器に応答を要求するステップ。前記電子機器の応答結果に応じて、前記電子機器の電源状態を判定するステップ。前記電源状態の判定結果を通知するステップ。前記電子機器が備える主電源スイッチの位置を示す位置情報を情報担持体から取得するステップ。前記位置情報を通知するステップ。
【発明の効果】
【００１２】
本発明によれば、画像形成装置の主電源スイッチの位置をユーザーに通知することができる。その結果、ユーザーの利便性が向上する。
【図面の簡単な説明】
【００１３】
【図１】本発明の実施形態に係る機器情報取得システムの構成を示す概略図である。
【図２】本発明の実施形態に係る携帯型端末を示すブロック図である。
【図３】本発明の実施形態に係る画像形成装置を示すブロック図である。
【図４】本発明の実施形態に係る機器情報取得システムの動作を示すフローチャートである。
【図５】本発明の実施形態に係る機器情報取得システムの動作を示すフローチャートである。
【図６】（ａ）は、本発明の実施形態に係る画像形成装置の電源状態がオフであることを示す画面の一例であり、（ｂ）は、本発明の実施形態に係る主電源スイッチの位置情報を示す画面の一例である。
【図７】（ａ）本発明の実施形態に係る画像形成装置の動作モードがレディーモードであることを示す画面の一例であり、（ｂ）は、本発明の実施形態に係る画像形成装置の動作モードがスリープモードであることを示す画面の一例である。
【発明を実施するための形態】
【００１４】
以下、図面を参照して、本発明に係る機器情報取得プログラム、機器情報取得システム、及び機器情報取得方法の実施形態について説明する。なお、図中、同一又は相当部分については同一の参照符号を付して説明を繰り返さない。
【００１５】
［実施形態１］
図１は、機器情報取得システムの構成を示す概略図である。
【００１６】
図１に示すように、機器情報取得システム１００は、携帯型端末２００と、主電源スイッチ３０１を備えた画像形成装置３００（電子機器の一例）とが通信可能に接続されて構成される。本実施形態における通信方式は、近距離無線通信方式である。携帯型端末２００は、画像形成装置３００と通信可能なエリアに侵入すると、画像形成装置３００の電源状態を判定することができる。また、携帯型端末２００は、画像形成装置３００が備えるＲＦタグ３０３に記憶された情報を読み取ることができる。本実施形態において、画像形成装置３００は、動作モードとして、スリープモード（第１モードの一例）と、レディーモード（第２モードの一例）とを有する。
【００１７】
次に、図２を参照して、携帯型端末２００について詳細に説明する。図２は、携帯型端末２００の構成を示すブロック図である。詳しくは、図２は、画像形成装置３００の情報を取得するための携帯型端末２００の構成を示す。
【００１８】
携帯型端末２００は、端末通信部２０１と、ＲＦリーダーライター２０２と、タッチパネル２０３と、端末記憶部２０５と、端末制御部２１０とを備える。
【００１９】
端末通信部２０１は、無線通信インターフェイスであり、携帯型端末２００は、同じ方式の無線通信インターフェイスが実装された電子機器との間で通信が可能である。本実施形態において、端末通信部２０１は、無線ＬＡＮインターフェイスである。
【００２０】
読取部の一例であるＲＦリーダーライター２０２は、電磁誘導方式により、ＲＦタグ３０３（情報担持体の一例）に記憶された情報を読み取る。本実施形態において、ＲＦリーダーライター２０２は、ＲＦタグ３０３から主電源スイッチ３０１の位置情報を読み取る。
【００２１】
表示部の一例であるタッチパネル２０３は、端末制御部２１０の制御に基づいて各種情報を表示する。例えば、タッチパネル２０３は、画像形成装置３００の電源状態、画像形成装置３００の主電源スイッチ３０１の位置、及び画像形成装置３００の動作モードの各情報を表示する。また、タッチパネル２０３には、携帯型端末２００への操作入力を受け付ける操作ボタンが表示される。タッチパネル２０３は、ユーザーによる操作ボタンの押下を検知して、操作入力データを生成し、端末制御部２１０へ送信する。
【００２２】
端末記憶部２０５は、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、及びＨＤＤ（Ｈａｒｄ  Ｄｉｓｋ  Ｄｒｉｖｅ）等を含む。ＲＯＭには、機器情報取得プログラムＰ１が記憶される。
【００２３】
端末制御部２１０は、画像形成装置３００の各部の動作を制御する。端末制御部２１０は、機器情報取得プログラムＰ１を実行することにより、端末通信処理部２１１、電源状態判定部２１２、電源状態通知部２１３、位置情報取得部２１４、位置情報通知部２１５、動作モード取得部２１６、動作モード判定部２１７、動作モード通知部２１８、及び動作モード切替部２１９として機能する。
【００２４】
要求処理部の一例である端末通信処理部２１１は、端末通信部２０１による通信を制御する。本実施形態において、端末通信処理部２１１は、端末通信部２０１を介して、画像形成装置３００に対し応答を要求する。
【００２５】
電源状態判定部２１２は、画像形成装置３００の電源状態（オン又はオフ）を判定する。詳しくは、電源状態判定部２１２は、端末通信部２０１が送信した要求に対する画像形成装置３００からの応答を端末通信部２０１が受信したか否かによって画像形成装置３００の電源状態を判定する。具体的には、端末通信部２０１が画像形成装置３００から応答を受信した場合、電源状態判定部２１２は、画像形成装置３００の電源状態がオンであると判定する。一方、端末通信部２０１が応答の要求を送信してから所定時間（例えば１０秒）が経過しても、端末通信部２０１が画像形成装置３００から応答を受信しなかった場合、電源状態判定部２１２は、画像形成装置３００の電源状態がオフであると判定する。
【００２６】
電源状態通知部２１３は、画像形成装置３００の電源状態をタッチパネル２０３に表示させる。これにより、画像形成装置３００の電源状態がユーザーに通知される。詳しくは、画像形成装置３００の電源状態がオフであると電源状態判定部２１２が判定した場合、電源状態通知部２１３は、画像形成装置３００の電源状態がオフであることを示す情報をタッチパネル２０３に表示させる。
【００２７】
位置情報取得部２１４は、ＲＦリーダーライター２０２を介して、ＲＦタグ３０３に記憶された主電源スイッチ３０１の位置情報を取得する。
【００２８】
位置情報通知部２１５は、位置情報取得部２１４が取得した位置情報をタッチパネル２０３に表示させる。これにより、画像形成装置３００における主電源スイッチ３０１の位置がユーザーに通知される。本実施形態において、主電源スイッチ３０１の位置情報は、画像形成装置３００上での主電源スイッチ３０１の位置を示す画像データである。
【００２９】
動作モード取得部２１６は、画像形成装置３００の電源状態がオンであると電源状態判定部２１２が判定すると、端末通信部２０１を介して、画像形成装置３００の動作モードを取得する。詳しくは、動作モード取得部２１６は、画像形成装置３００に対して動作モードの送信を要求する。この要求に応じて、画像形成装置３００の現在の動作モードを示す情報が画像形成装置３００から携帯型端末２００へ送信される。
【００３０】
動作モード判定部２１７は、動作モード取得部２１６が取得した動作モードがスリープモードであるかレディーモードであるかを判定する。
【００３１】
動作モード通知部２１８は、動作モード判定部２１７が判定した動作モードをタッチパネル２０３に表示させる。これにより、画像形成装置３００の現在の動作モードがユーザーに通知される。
【００３２】
具体的には、動作モード通知部２１８は、画像形成装置３００の動作モードがレディーモードであると動作モード判定部２１７が判定すると、画像形成装置３００の動作モードがレディーモードであることを示す情報をタッチパネル２０３に表示させる。
【００３３】
また、動作モード通知部２１８は、画像形成装置３００の動作モードがスリープモードであると動作モード判定部２１７が判定すると、画像形成装置３００の動作モードがスリープモードであることを示す情報をタッチパネル２０３に表示させる。更に、動作モード通知部２１８は、画像形成装置３００の動作モードがスリープモードであると動作モード判定部２１７が判定すると、画像形成装置３００の動作モードを切り替えるための操作ボタンをタッチパネル２０３に表示させる。即ち、タッチパネル２０３上に画像形成装置３００の動作モードをスリープモードからレディーモードへ切り替えるための操作ボタン（以下、「Ｓｌｅｅｐ解除ボタン」と記載する。）が表示される。
【００３４】
動作モード切替部２１９は、画像形成装置３００の動作モードをスリープモードからレディーモードへ切り替える。本実施形態において、タッチパネル２０３は、ユーザーによる「Ｓｌｅｅｐ解除ボタン」の押下を検知すると、「Ｓｌｅｅｐ解除ボタン」の押下に対応する操作入力データを生成する。操作入力データは、動作モード切替部２１９へ送信される。動作モード切替部２１９は、操作入力データに基づいて、動作モードの切り替え指令を画像形成装置３００へ送信する。
【００３５】
続いて、図３を参照して、画像形成装置３００について詳細に説明する。図３は、画像形成装置３００の構成を示すブロック図である。
【００３６】
図３に示すように、画像形成装置３００は、主電源スイッチ３０１とＲＦタグ３０３とに加え、機器通信部３０２と、機器記憶部３０５と、機器制御部３１０とを備える。本実施形態において、画像形成装置３００は、複合機（ＭＦＰ：ＭｕｌｔｉＦｕｎｃｔｉｏｎ Ｐｅｒｉｐｈｅｒａｌ）である。
【００３７】
主電源スイッチ３０１は、画像形成装置３００の電源状態（オン又はオフ）を切り替える。主電源スイッチ３０１がオンの場合、画像形成装置３００に電力が供給される。一方、主電源スイッチ３０１がオフの場合、画像形成装置３００に電力が供給されない。
【００３８】
機器通信部３０２は、無線インターフェイスである。機器通信部３０２は、携帯型端末２００と同じ方式の無線通信インターフェイスを実装し、携帯型端末２００と通信が可能である。
【００３９】
ＲＦタグ３０３は、内蔵メモリーを有する。内蔵メモリーに記憶されたデータは、電磁誘導方式によって、ＲＦリーダーライター２０２に読み取られる。ＲＦタグ３０３の内蔵メモリーは、主電源スイッチ３０１の位置情報Ｓを記憶している。
【００４０】
機器記憶部３０５は、ＲＯＭ、ＲＡＭ、及びＨＤＤ等を含む。ＲＯＭには、機器情報取得プログラムＰ２が記憶されている。
【００４１】
機器制御部３１０は、画像形成装置３００の各部の動作を制御する。機器制御部３１０は、機器情報取得プログラムＰ２を実行することにより、機器通信処理部３１１及び動作モード管理部３１２として機能する。
【００４２】
応答処理部の一例である機器通信処理部３１１は、機器通信部３０２による通信を制御する。本実施形態において、機器通信処理部３１１は、機器通信部３０２を介して、携帯型端末２００からの要求に応答する。
【００４３】
動作モード管理部３１２は、携帯型端末２００が備える動作モード取得部２１６からの要求に応じて画像形成装置３００の現在の動作モードを示す情報を携帯型端末２００へ送信する。また、動作モード管理部３１２は、携帯型端末２００が備える動作モード切替部２１９による動作モードの切り替え指令に基づいて、画像形成装置３００の動作モードを切り替える。
【００４４】
次に、図１〜図５を参照して、機器情報取得システム１００の動作について説明する。図４及び図５は、機器情報取得システム１００の動作を示すフローチャートである。
【００４５】
ユーザーがタッチパネル２０３を操作して、画像形成装置３００の電源状態を確認する処理を携帯型端末２００に実行させると、図４に示すように、まず、端末通信処理部２１１が画像形成装置３００に対して応答を要求する（ステップＳ４０２）。次いで、電源状態判定部２１２が画像形成装置３００の電源状態を判定する（ステップＳ４０４）。詳しくは、端末通信部２０１が応答の要求をしてから所定時間経過しても、画像形成装置３００から応答がなかった場合、電源状態判定部２１２は、画像形成装置３００の電源状態がオフであると判定する（ステップＳ４０４のＮｏ）。一方、端末通信部２０１が画像形成装置３００から応答を受信した場合、電源状態判定部２１２は、画像形成装置３００の電源状態がオンであると判定する（ステップＳ４０４のＹｅｓ）。
【００４６】
画像形成装置３００の電源状態がオフであると電源状態判定部２１２が判定すると（ステップＳ４０４のＮｏ）、電源状態通知部２１３は、画像形成装置３００の電源状態がオフであることを示す情報をタッチパネル２０３に表示させる（ステップＳ４０６）。また、電源状態通知部２１３は、次にユーザーが行うべき動作（操作）として、携帯型端末２００（ＲＦリーダーライター２０２）を画像形成装置３００のＲＦタグ３０３にかざす動作を指示する情報をタッチパネル２０３に表示させる（ステップＳ４０６）。例えば、ＲＦリーダーライター２０２とＲＦタグ３０３との間の距離が１０ｃｍ以内になると、ＲＦリーダーライター２０２が、ＲＦタグ３０３の内蔵メモリーに記憶された位置情報Ｓを読み取る。
【００４７】
ユーザーがＲＦリーダーライター２０２をＲＦタグ３０３にかざすと、ＲＦリーダーライター２０２は、ＲＦタグ３０３の内蔵メモリーに記憶された位置情報Ｓを読み取って取得する（ステップＳ４０８）。次いで、位置情報通知部２１５は、位置情報Ｓをタッチパネル２０３に表示させる（ステップＳ４１０）。
【００４８】
続いて、画像形成装置３００の電源状態がオンであると電源状態判定部２１２が判定した（ステップＳ４０４のＹｅｓ）後の機器情報取得システム１００の動作について、図５を参照して説明する。
【００４９】
図５に示すように、画像形成装置３００の電源状態がオンであると電源状態判定部２１２が判定すると、まず、動作モード取得部２１６が、動作モード管理部３１２から画像形成装置３００の動作モードを取得する（ステップＳ４１２）。次いで、動作モード取得部２１６が取得した動作モードがスリープモードであるか否かを動作モード判定部２１７が判定する（ステップＳ４１４）。
【００５０】
画像形成装置３００の動作モードがスリープモードでないと動作モード判定部２１７が判定すると（ステップＳ４１４のＮｏ）、動作モード通知部２１８は、画像形成装置３００の動作モードがレディーモードであることを示す情報をタッチパネル２０３に表示させる（ステップＳ４１６）。
【００５１】
一方、画像形成装置３００の動作モードがスリープモードであると動作モード判定部２１７が判定すると（ステップＳ４１４のＹｅｓ）、動作モード通知部２１８は、画像形成装置３００の動作モードがスリープモードであることを示す情報をタッチパネル２０３に表示させる（ステップＳ４１８）。また、動作モード通知部２１８は、「Ｓｌｅｅｐ解除ボタン」をタッチパネル２０３に表示させる（ステップＳ４１８）。
【００５２】
「Ｓｌｅｅｐ解除ボタン」の押下をタッチパネル２０３が検知するまで、処理は待機する（ステップＳ４２０のＮｏ）。「Ｓｌｅｅｐ解除ボタン」の押下をタッチパネル２０３が検知すると（ステップＳ４２０のＹｅｓ）、タッチパネル２０３は、「Ｓｌｅｅｐ解除ボタン」の押下に対応する操作入力データを生成する。操作入力データは、動作モード切替部２１９へ送信される。
【００５３】
動作モード切替部２１９は、「Ｓｌｅｅｐ解除ボタン」の押下に対応する操作入力データに基づいて、動作モードの切り替え指令を画像形成装置３００へ送信する。これにより、画像形成装置３００の動作モード管理部３１２が、画像形成装置３００の動作モードをスリープモードからレディーモードへ切り替える（ステップＳ４２２）。
【００５４】
次に、図１〜図３、及び図６を参照して、画像形成装置３００の電源状態がオフの場合にタッチパネル２０３が表示する画面について説明する。図６（ａ）は、画像形成装置３００の電源状態がオフであることを示す画面の一例である。図６（ｂ）は、主電源スイッチ３０１の位置情報Ｓを示す画面の一例である。
【００５５】
画像形成装置３００の電源状態がオフであると電源状態判定部２１２が判定すると、図６（ａ）に示す画面がタッチパネル２０３に表示される。図６（ａ）に示すように、タッチパネル２０３に表示される画面は、画像形成装置３００の電源状態がオフであることを示す情報及びＲＦリーダーライター２０２をＲＦタグ３０３にかざす動作を指示する情報を含む。
【００５６】
ユーザーが、ＲＦリーダーライター２０２をＲＦタグ３０３にかざすと、ＲＦリーダーライター２０２は、ＲＦタグ３０３の内蔵メモリーに記憶された位置情報Ｓを読み取って取得する。この結果、図６（ｂ）に示す画面がタッチパネル２０３に表示される。図６（ｂ）に示すように、タッチパネル２０３に表示される画面は、画像形成装置３００上での主電源スイッチ３０１の位置が矢印で示された画像を含む。
【００５７】
続いて、図１〜図３、及び図７を参照して、電源状態がオンの場合にタッチパネル２０３が表示する画面について説明する。図７（ａ）は、動作モードがレディーモードであることを示す画面の一例である。図７（ｂ）は、動作モードがスリープモードであることを示す画面の一例である。
【００５８】
画像形成装置３００の電源状態がオンであると電源状態判定部２１２が判定すると、動作モード取得部２１６が画像形成装置３００の動作モードを取得する。動作モード取得部２１６が画像形成装置３００の動作モードを取得すると、図７（ａ）又は図７（ｂ）に示す画面がタッチパネル２０３に表示される。
【００５９】
図７（ａ）は、画像形成装置３００の動作モードがレディーモードの場合にタッチパネル２０３に表示される画面である。図７（ａ）に示すように、タッチパネル２０３に表示される画面は、画像形成装置３００の動作モードがレディーモード（Ｒｅａｄｙ状態）であることを示す情報を含む。
【００６０】
図７（ｂ）は、画像形成装置３００の動作モードがスリープモードの場合にタッチパネル２０３に表示される画面である。図７（ｂ）に示すように、タッチパネル２０３に表示される画面は、画像形成装置３００の動作モードがスリープモード（Ｓｌｅｅｐ状態）であることを示す情報、スリープモードの解除方法を示す情報、及びＳｌｅｅｐ解除ボタン２０４を含む。
【００６１】
ユーザーがタッチパネル２０３に表示されたＳｌｅｅｐ解除ボタン２０４を押下すると、タッチパネル２０３は、Ｓｌｅｅｐ解除ボタン２０４の押下に対応する操作入力データを生成する。動作モード切替部２１９は、操作入力データに基づいて、動作モードの切り替え指令を画像形成装置３００へ送信する。画像形成装置３００が備える動作モード管理部３１２は、動作モード切替部２１９から送信された切り替え指令に基づいて、動作モードをスリープモードからレディーモードへ切り替える。
【００６２】
以上のように、携帯型端末２００は、ＲＦタグ３０３に記憶された主電源スイッチ３０１の位置情報Ｓを読み取って、主電源スイッチ３０１の位置を示す情報をタッチパネル２０３に表示することができる。したがって、ユーザーは、主電源スイッチ３０１の位置を知ることができる。その結果、ユーザーの利便性が向上する。また、主電源スイッチ３０１の位置を示す情報として、画像形成装置３００上での主電源スイッチ３０１の位置を示す画像データを採用することにより、ユーザーは、視覚的に主電源スイッチ３０１の位置を知ることができる。したがって、ユーザーは、より分かりやすく主電源スイッチ３０１の位置を知ることができる。
【００６３】
また、画像形成装置３００の動作モードがスリープモードである場合に、携帯型端末２００は、画像形成装置３００の動作モードがスリープモードであることを示す情報をタッチパネル２０３に表示することができる。したがって、画像形成装置３００の動作モードがスリープモードであるにもかかわらず、ユーザーが画像形成装置３００の主電源スイッチ３０１を操作して、画像形成装置３００の電源状態をオフにしてしまう誤操作を抑制することができる。その結果、ユーザーの利便性がより向上する。
【００６４】
以上、本発明の実施形態について、図面（図１〜図７）を参照しながら説明した。但し、本発明は、上記の実施形態に限られるものではなく、その要旨を逸脱しない範囲で種々の態様において実施することが可能である。
【００６５】
例えば、本発明の実施形態において、電源状態通知部２１３は、画像形成装置３００の電源状態がオフであると電源状態判定部２１２が判定した場合にのみ、タッチパネル２０３に画像形成装置３００の電源状態を表示したが、画像形成装置３００の電源状態がオンであると電源状態判定部２１２が判定した場合にも、電源状態通知部２１３は、タッチパネル２０３に画像形成装置３００の電源状態を表示させてもよい。
【００６６】
また、本発明の実施形態において、携帯型端末２００は、画像形成装置３００の電源状態に加えて、画像形成装置３００の動作モードの通知を行ったが、携帯型端末２００は、画像形成装置３００の電源状態のみを通知してもよい。この場合、電源状態通知部２１３は、画像形成装置３００の電源状態がオン又はオフであることを示す情報をタッチパネル２０３に表示させる。
【００６７】
また、本発明による実施形態では、端末通信部２０１及び機器通信部３０２が無線ＬＡＮインターフェイスである場合を例に説明したが、端末通信部２０１及び機器通信部３０２はこれに限定されない。例えば、Ｂｌｕｅｔｏｏｔｈ（登録商標）インターフェイスであってもよい。
【００６８】
また、本発明による実施形態において、主電源スイッチ３０１の位置情報はＲＦタグに担持されたが、主電源スイッチ３０１の位置情報が担持される媒体はこれに限定されない。例えば、主電源スイッチ３０１の位置情報の担持媒体として、二次元バーコードもあり得る。この場合、携帯型端末２００は、ＲＦリーダーライター２０２に替えて、二次元バーコードリーダーとしてＩｒＤＡインターフェイスを備える。
【００６９】
また、本発明の実施形態において、ＲＦタグ及びＲＦリーダーライターは、電磁誘導方式によって交信を行ったが、ＲＦタグ及びＲＤリーダーライターによる交信方式はこれに限定されない。例えば、交信方式は電波方式であってもよい。
【００７０】
また、本発明による実施形態では、Ｓｌｅｅｐ解除ボタン２０４の押下に基づいて、画像形成装置３００の動作モードが切り替えられたが、画像形成装置３００の動作モードを切り替える方法はこれに限定されない。例えば、画像形成装置３００が備える操作パネルのいずれかのキーを押下することによって、画像形成装置３００の動作モードが切り替えられてもよい。この場合、図７（ｂ）に示す画面は、画像形成装置３００が備える操作パネルのいずれかのキーを押下することによって、画像形成装置３００の動作モードをスリープモードからレディーモードへ切り替えることができることを示す情報を含む。
【００７１】
また、本発明による実施形態では、複合機を例に機器情報取得システム１００を説明したが、本発明は、コピー機、ファクシミリ、又はプリンター等にも適用可能である。
【００７２】
また、本発明による実施形態では、画像形成装置３００を例に機器情報取得システム１００を説明したが、本発明は、画像形成装置以外の電子機器にも適用可能である。例えば、本発明は、パーソナル・コンピューター等の主電源スイッチを有する電子機器にも採用することができる。
【産業上の利用可能性】
【００７３】
本発明は、画像形成装置やパーソナル・コンピューター等の主電源スイッチを有する電子機器に有用である。
【符号の説明】
【００７４】
１００  機器情報取得システム
２００  携帯型端末
２０１  端末通信部
２０２  ＲＦリーダーライター
２０３  タッチパネル
２１１  端末通信処理部
２１２  電源状態判定部
２１３  電源状態通知部
２１４  位置情報取得部
２１５  位置情報通知部
３００  画像形成装置
３０１  主電源スイッチ
３０２  機器通信部
３０３  ＲＦタグ
３１１  機器通信処理部
３１２  動作モード管理部
【図１】
0005973512.tif 000002
【図２】
0005973512.tif 000003
【図３】
0005973512.tif 000004
【図４】
0005973512.tif 000005
【図５】
0005973512.tif 000006
【図６】
0005973512.tif 000007
【図７】
0005973512.tif 000008